(57)【要約】【課題】腰バンドに引掛ける携帯用電動工具に取着の前記バンドへの引掛け用フックを、作業者の利き腕に応じて確実かつ簡単に嵌着し、嵌着せしめたフックは確実に固着して容易に離脱しない携帯用電動工具を提供する。【解決手段】把手部１の上方部にスイッチ３及び支受部４を具備する駆動モーター部２を設け、把手部１の下方台部６に嵌脱自在にした蓄電室部１１を設けたインパクトドライバー等の携帯用電動工具ａにおいて、前記把手部１の下方台部６を構成する左右両側壁面部にベルト用フックｂの脚部１９を挿入する挿込孔１２を夫々形成し、且前記把手部１の左右両側壁面部の内側に前記ベルト用フックｂの脚部１９を係止せしめる引掛け係止部１３を設けた。【選択図】    図１
2004255503.tif 000002
【特許請求の範囲】
【請求項１】
把手部の上方部にスイッチ及び支受部を具備する駆動モーター部を設け、前記把手部の下方台部に嵌脱自在にした蓄電室部を設けたインパクトドライバー等の携帯用電動工具において、
前記把手部の下方台部を構成する左右両側壁面部にベルト用フックの脚部を挿入する挿込孔を夫々形成し、且前記把手部の左右両側壁面部の内側に前記ベルト用フックの脚部を係止せしめる引掛け係止部を設けたことを特徴とする携帯用電動工具。
【請求項２】
前記挿込孔に挿入のフックの脚部に、係止用窓孔を形成し、前記引掛け係止部に前記窓孔に挿入可能な突起を形成したことを特徴とする請求項１記載の携帯用電動工具。
【請求項３】
前記引掛け係止部は、前記把手部の下方台部の裏面部と平行状にして、且前記フックの脚部が挿入可能な間隙部を設けたことを特徴とする請求項１記載又は請求項２記載の携帯用電動工具。
【請求項４】
前記把手部の基台部の上面部に、ビット用ソケット部を設けたことを特徴とする請求項１又は請求項２又は請求項３記載の携帯用電動工具。
【請求項５】
前記駆動モーター部に装着するスイッチ及び支受部と反対側の駆動モーターの後方端部に、可動式フック部を装着せしめることを特徴とする請求項１又は請求項２又は請求項３又は請求項４記載の携帯用電動工具。
【発明の詳細な説明】
【０００１】
【発明の属する技術分野】
本発明は、腰ベルト用フックを作業者の利き腕に応じて前記ベルトの着脱を極めて容易にすると共に、前記フックが容易に離脱しない機構となし、さらに駆動モーター部の支受部に嵌着せしめるビットが作業内容に応じて身近にあって直ちに取替えができるようにしたものである。さらに本発明は、把手部上方の駆動モーターの後方端部に可動式フックを装着せしめて、接続した安全ロープの可動を極めてスムーズにして作業者に違和感を与えないようにした携帯用電動工具の分野に関するものである。
【０００２】
【従来の技術】
従来公知の携帯用電動工具として、実用新案登録第２５９４３６８号（コードレス携帯用電動工具フック）があるが、この考案のフック４は、ハンドル２に捲廻したバンド５にフック４の段差部４ａを利用して固定する構成である。
【０００３】
さらに本考案の工具のフック４を作業者の利き腕に対応させるには、その都度バンド５をはずして嵌着するもので、フック４の移動が煩雑であった。
【０００４】
さらに前記した従来の実用新案の工具は、各種ビットをハンドル２の下方基台部に係止するためのソケット部を有していない。
【０００５】
また前記実用新案の工具の胴体部１の後方部には、ロープを接続させる機構を有していない。
【０００６】
さらに従来公知の携帯式回転工具として、特開２００１−１７０８７８号公開特許公報があるが、この公報の工具の構成としては、作業者の腰バンドに引掛けるフック部材が設けられていない。
【０００７】
また前記特許公開公報の工具のハンドクリップ３の下方基台部には、各種ビットが嵌脱可能なフック部は設けられていない。
【０００８】
さらに前記特許公開公報の工具を構成するモーターハウジング７の後端下側コーナー部にストラップ１５の一端部を接続するピン１１が固定状態で設けられている。
【０００９】
【発明が解決しようとする課題】
本発明の工具は、腰バンドに引掛ける携帯用電動工具に取着の前記バンドへの引掛け用フックを、作業者の利き腕に応じて確実にして、しかも簡単に嵌着し、さらに嵌着せしめた前記フックは確実に固着して容易に離脱しない機構にしたものである。
【００１０】
さらに本発明の工具は、各種ビットを把手部の下方台部の上面にソケット部を設けて、作業に合ったビットを常備して各種作業の能率化を図るようにした。
【００１１】
また本発明は、工具を構成する把手部の上方に形成する駆動モーターの後方端部に可動式フック部を装着して、接続した安全ロープが前記工具に対しスムーズに可動して作業者に違和感を与えないようにすると共に、作業能率を著しく高めた。
【００１２】
【課題を解決するための手段】
請求項１記載の発明は、把手部１の上方部にスイッチ３及び支受部４を具備する駆動モーター部２を設け、前記把手部１の下方台部６に嵌脱自在にした蓄電室部１１を設けたインパクトドライバー等の携帯用電動工具ａにおいて、
前記把手部１の下方台部６を構成する左右両側壁面部にベルト用フックｂの脚部１９を挿入する挿込孔１２を夫々形成し、且前記把手部１の左右両側壁面部の内側に前記ベルト用フックｂの脚部１９を係止せしめる引掛け係止部１３を設けたことを特徴とする携帯用電動工具である。
【００１３】
請求項２記載の発明は、前記挿込孔１２に挿入のフックｂの脚部１９に、係止用窓孔２０を形成し、前記引掛け係止部１３に前記窓孔２０に挿入可能な突起１７を形成した携帯用電動工具である。
【００１４】
請求項３記載の発明は、前記引掛け係止部１３は、前記把手部１の下方台部６の裏面部と平行状にして、且前記フックｂの脚部１９が挿入可能な間隙部１４を設けた携帯用電動工具である。
【００１５】
請求項４記載の発明は、前記把手部１の基台部６の上面部２６に、ビット用ソケット部２４を設けた携帯用電動工具である。
【００１６】
請求項５記載の発明は、前記駆動モーター部２に装着するスイッチ３及び支受部４と反対側の駆動モーターの後方端部に、可動式フック部を装着せしめる携帯用電動工具である。
【００１７】
【発明の実施の形態】
請求項１〜５記載の発明に関する実施の形態は共通しているので、以下のとおり一括して説明する。
【００１８】
本発明の携帯用電動工具は、以下の構成からなっている。
【００１９】
図面において、１は前記電動工具ａを構成する直立状の把手部である。この把手部１の上方部には、スイッチ３と支受部４と具備する駆動モーター部２を設ける。５は前記モーター部２を構成する後方端部である。
【００２０】
さらに前記把手部１の下方部には、下方台部６が把手部１の径よりも広い面積をもって形成する。そして前記下方台部６の外側周縁部を稍直角状に湾曲せしめ若干の高さを有する上面よりみて四辺形状の側壁面部を形成する。７は前記側壁面部中、左側壁面部、８は右側壁面部、９は前側壁面部、１０は後側壁面部である。従って前記左右両側壁面部７、８の形態は、前記モーター部２の側面部と平行状態となっている。１１は前記下方台部６に嵌脱自在な蓄電室部である。
【００２１】
１２は前記左右両側壁面部７、８に水平状にして、しかも四辺形状にて形成した挿込孔である。前記挿込孔１２は、通常所定間隔をおいて、一側壁面部に夫々２個所形成する。前記挿込孔１２に挿入するベルト用フックｂの構造については後述する。
【００２２】
１３は前記左右両側壁面部７、８の内側に夫々対向状にて突設せしめた前記フックｂの脚部１９を係止する引掛け係止部である。前記係止部１３の具体的構成を説明すると以下のとおりである。
【００２３】
前記係止部１３は、図面図示のとおり、前記水平状にて形成した挿込孔１２の下方底部１２ａに上面部１３ａが位置するように、水平状に前記四辺形状の側壁面部内に突設する。１４は前記下方台部６の裏面部６ａと前記係止部１３との間に形成された間隙部である。さらに前記係止部１３は前記下方台部６の裏面部６ａと平行状にして、しかも３本の突片１５、１５ａ、１５ｂからなっている。そして前記突片の中、中央の突片１５の上面部１６に突起部１７が形成されている。前記３本の突片１５と一方の突片１５ａとの間には、切欠部１８が形成され、他方突片１５と他方の突片１５ｂとの間にも切欠部１８ａが形成される。
【００２４】
さらに前記突起部１７が、前記挿込孔１２に挿込まれた前記フックｂを構成する脚部１９に形成されている窓孔２０に嵌り込み、図面図示の２本の脚部１９が揺動せずに固定状態となっている。
【００２５】
さらに前記窓孔２０付き脚部１９の左側面部２１及び右側面部２２が、前記突片１５、１５ａ、１５ｂによって形成の切欠部１８、１８ａに若干嵌込み、嵌込まれた脚部１９の揺動がより一層強力に阻止される。
【００２６】
２３は前記下方台部６の左右、前後側壁面部７、８、９、１０の下方開口部である。前記開口部２３に蓄電室部１１が嵌脱する。
【００２７】
前記バンド用フックｂの構成は以下のとおりである。前記フックｂの形成は種々考えられるが、一実施例として薄い鋼板材を所定の幅員を有する脚素材を所定の幅員を設けて
2004255503.tif 000003
形状に打抜いてやる。
【００２８】
さらに左右両サイドの２本の脚素材の所定個所を腰バンド（図示していない）の幅員と同程度の幅員をもって上方向に折曲する。
【００２９】
前記のように折曲された２本の脚素材を外側方に直角状に折曲し挿込孔１２に挿込みが可能な厚さを有し、且水平状の窓孔２０付き脚部１９を形成する。前記脚部１９は通常２本である。
【００３０】
以上が前記フックｂの構成であり、前記フックｂは利き腕に応じ下方台部６の右側方もしくは左側方の挿込孔１２に挿入する。その際フックｂの形態は、脚素材の折曲部分が下方に位置し、挿込まれた前記脚部１９が上方に位置している。そのため前記挿込孔１２に挿入された前記フックｂの脚部１９以外の脚素材部分は、前記蓄電室部１１の側壁面と平行状に並んでいるので、違和感がない。
【００３１】
従ってフックｂの脚素材間の間隙部１９ａが腰バンドに嵌挿すると、工具ａの駆動モーター部２が下方に吊り下がり状態となる。
【００３２】
以上のようにして係止されているフックｂを取外すには以下のようにする。
【００３３】
前記フックｂの脚部１９の窓孔２０に嵌挿している突起部１７を形成する突片１５の先端部を下方に押下げれば、前記突起部１７が前記窓孔２０より離脱する。
【００３４】
前記のように前記突起部１７が離脱したら前記フックｂを外側方に引抜けば、嵌挿中の脚部１９は容易に離脱できる。
【００３５】
従って、本発明のフックｂは、作業者の利き腕に応じて、下方台部６の右側方もしくは左側方の挿込孔１２に挿入すればフックｂの組立が終了する。
【００３６】
つぎに本発明の工具において使用する各種ビット２５を取外しも可能にした嵌着用のソケット部２４を、前記下方台部６の上面部２６に取着する。前記ビット２５の長さは、前記下方台部６の幅員より短いので、作業性を悪化させたりしない。
【００３７】
また前記ソケット部２４は、前記駆動モーター部２の軸線方向に対し直角状に下方台部６の上面部２６に取着しているので、嵌着した前記ビット２５が前記下方台部６の左右両側面部よりはみ外したりしない。
【００３８】
通常ビット２５は２本をソケット部２４に嵌着するが限定しない。
【００３９】
そして前記ソケット部２４のビット２５に対する嵌着時の強度は、本発明の工具の使用時の振動でも十分対応しており離脱しない。
【００４０】
さらに本発明の工具ａは、駆動モーター部２の後方端部５の中、下方部に可動式フック２７を設ける。前記フック２７は、一端部がモーター部２の内側方に軸ピン２８を介して回動自在に軸着し、他端部を前記モーター部２の外側方に突出させる。さらに外側方に突出したフック２７には孔２９が形成され、前記孔２９に安全ロープｃの端部を接続させる。
【００４１】
前記フック２７は、安全紐が接続されても、工具の動作に順応する利点がある。
【００４２】
【発明の効果】
本発明は前記のとおりであって、作業者の利き腕に応じて、下方台部の左側方もしくは右側方に対称的に形成されている挿込孔にフックの脚部を挿込めば、フックは強固に固着し離脱のおそれもなく、且作業性も極めて良好である。
【００４３】
さらに本発明は、下方台部の上面部に直接ソケット部を取着して各種ビットを身近において作業ができるので、作業能率を著しく高め、且備付け中の各種ビットが離脱したりしない。
【００４４】
また本発明は、駆動モーター部の後方端部に安全ロープを接続するフック部を装着したので、前記ロープとフック部との広範囲の角度での回動をスムーズにし、本発明の工具を握持しての作業性を阻害しない。
【図面の簡単な説明】
【図１】本発明携帯用電動工具の斜視図である。
【図２】同要部の一部切欠拡大斜視図である。
【図３】同要部の一部切欠拡大右側面図である。
【図４】同要部の一部切欠拡大内側面図である。
【図５】同要部のバンド用フックの挿入み状態を示す一部切欠拡大縦断面図である。
【図６】同工具の背面図である。
【図７】同工具の斜視図である。
【図８】同工具の一部切欠拡大正面図である。
【図９】同工具の要部の一部切欠拡大縦断面図である。
【符号の説明】
ａ      電動工具
ｂ      フック
ｃ      安全ロープ
１      把手部
２      モーター部
３      スイッチ
４      支受部
５      後方端部
６      下方台部
６ａ    裏面部
７      左側壁面部
８      右側壁面部
９      前側壁面部
１０      後側壁面部
１１      蓄電室部
１２      挿込孔
１２ａ    下方底部
１３      係止部
１３ａ    上面部
１４      間隙部
１５      突片
１５ａ    突片
１５ｂ    突片
１６      上面部
１７      突起部
１８      切欠部
１８ａ    切欠部
１９      脚部
１９ａ    間隙部
２０      窓孔
２１      脚部左側面部
２２      脚部右側面部
２３      下方開口部
２４      ソケット部
２５      ビット
２６      下方台部上面部
２７      フック
２８      軸ピン
２９      孔
【図１】
2004255503.tif 000004
【図２】
2004255503.tif 000005
【図３】
2004255503.tif 000006
【図４】
2004255503.tif 000007
【図５】
2004255503.tif 000008
【図６】
2004255503.tif 000009
【図７】
2004255503.tif 000010
【図８】
2004255503.tif 000011
【図９】
2004255503.tif 000012